(57)【特許請求の範囲】
【請求項１】
商品の販売データを登録処理する商品販売データ処理装置において、
所有者を特定するための所有者情報を格納するデータファイルを有する携帯型電子端末とのアクセスを確立してデータ通信を行うデータ通信手段と、
このデータ通信手段により前記携帯型電子端末に、前記データファイルに格納されている前記所有者情報の送信を許可させるためのデータ送信要求画面を表示する処理と、このデータ送信要求画面上での操作に応じて前記所有者情報の送信を許可する処理と、当該送信の許可に従い前記所有者情報を送信する処理とを実行させるプログラムを送信する要求画面表示プログラム送信手段と、
この要求画面表示プログラム送信手段により送信された前記プログラムに従って表示された前記データ送信要求画面上での操作に応じて前記携帯型電子端末で送信が許可されて送信された前記所有者情報を前記データ通信手段を介して前記携帯型電子端末から受信するデータ受信手段と、
所望のチケットのチケット発券を宣言する手段と、
前記チケット発券の宣言に応じてオンラインでチケット会社に対応するチケットの問い合わせ確認を行い、そのチケット会社からチケットに関する情報をオンラインで取得し、取得した情報を前記携帯型電子端末から受信した前記所有者情報と共にチケット印字データとしてメモリに展開する手段と、
前記メモリに展開したチケット印字データをチケットプリンタに送信出力する手段と、
を備えることを特徴とする商品販売データ処理装置。
【請求項２】
前記データ通信手段により一の前記携帯型電子端末との間においてアクセスが確立している場合、他の前記携帯型電子端末からのアクセスを排除することを特徴とする請求項１記載の商品販売データ処理装置。
【発明の詳細な説明】
【０００１】
【発明の属する技術分野】
本発明は、チケット会社からチケット発券業務を委託されているコンビニエンスストア等の店舗で使用される商品販売データ処理装置、携帯型電子端末およびチケット発券方法に関する。
【０００２】
【従来の技術】
現在、各所に店舗を展開して販売業務を実行しているチェーン店などでは、ＰＯＳ（Point of Sales：販売時点管理）システムを利用することで、各店舗の売上状況などを統括的に把握して販売戦略を総合的に立案するなどしている。
【０００３】
ここで、上述のようなＰＯＳシステムは、例えば、各種のデータ処理を実行する多数のＰＯＳ端末と、これら多数のＰＯＳ端末から各種データを受信して各種のデータ処理を実行する一個のストアコンピュータとを多数の店舗の各々に設置し、このような多数の店舗の各々に設置されたストアコンピュータから各種データを受信して各種のデータ処理を実行するホストコンピュータを本部に設置した構造などとなっている。
【０００４】
そして、各店舗のＰＯＳ端末は、商品の販売データなどを登録処理して順次蓄積し、この蓄積した各種データから生成したトランザクションデータを登録処理の完了後に同一店舗のストアコンピュータに送信する。そこで、各店舗のストアコンピュータは、同一店舗のＰＯＳ端末から受信したトランザクションデータを集計し、この集計したトランザクションデータを毎日一回などとして予め設定された規定タイミングで本部のホストコンピュータに送信する。
【０００５】
このようなＰＯＳシステムを利用することで、各店舗では、売上状況などを確認することができ、本部では多数の店舗の売上状況などを総合的に確認することができる。
【０００６】
ところで、このようなＰＯＳシステムを備えたコンビニエンスストア等においては、近年、サービスの一つとして、コンサートチケット等の各種チケットの予約販売を行っている店舗がある。このような店舗においては、ＰＯＳ端末に、チケット発行専用のプリンタであるチケットプリンタが接続されており、このチケットプリンタによってチケットを専用に発行するようにしている。
【０００７】
【発明が解決しようとする課題】
ところが、現行システムにおいては、予約者は、チケット予約の際に氏名や住所等を申し込み用紙等に記入しなければならず、手間がかかっていた。
【０００８】
一方、店員は、その申し込み用紙に記載された氏名や住所等をＰＯＳ端末に手入力しなければならなかった。このような業務は、コンビニエンスストアの業務としては比較的時間がかかる業務になっており、他の業務（特に売上精算業務等）の妨げになりやすい。
【０００９】
本発明の目的は、商品販売データ処理装置が設置された店舗においては作業時間の短縮、業務効率の向上、ミスの低減を図ることができ、客においては利便性の向上を図ることができるチケット発券方法、このチケット発券方法が用いられるチケット発券システムを構成する商品販売データ処理装置、およびチケット発券システムを構成する携帯型電子端末を提供することである。
【００１０】
【課題を解決するための手段】
請求項１記載の発明は、商品の販売データを登録処理する商品販売データ処理装置において、所有者を特定するための所有者情報を格納するデータファイルを有する携帯型電子端末とのアクセスを確立してデータ通信を行うデータ通信手段と、このデータ通信手段により前記携帯型電子端末に、前記データファイルに格納されている前記所有者情報の送信を許可させるためのデータ送信要求画面を表示する処理と、このデータ送信要求画面上での操作に応じて前記所有者情報の送信を許可する処理と、当該送信の許可に従い前記所有者情報を送信する処理とを実行させるプログラムを送信する要求画面表示プログラム送信手段と、この要求画面表示プログラム送信手段により送信された前記プログラムに従って表示された前記データ送信要求画面上での操作に応じて前記携帯型電子端末で送信が許可されて送信された前記所有者情報を前記データ通信手段を介して前記携帯型電子端末から受信するデータ受信手段と、所望のチケットのチケット発券を宣言する手段と、前記チケット発券の宣言に応じてオンラインでチケット会社に対応するチケットの問い合わせ確認を行い、そのチケット会社からチケットに関する情報をオンラインで取得し、取得した情報を前記携帯型電子端末から受信した前記所有者情報と共にチケット印字データとしてメモリに展開する手段と、前記メモリに展開したチケット印字データをチケットプリンタに送信出力する手段と、を備える。
【００１１】
したがって、商品販売データ処理装置から携帯型電子端末に対してデータ送信要求画面を表示させるプログラムを送信することにより、携帯型電子端末にデータファイルに格納されている所有者を特定するための所有者情報の送信を許可させるためのデータ送信要求画面を表示させ、所有者にそのデータ送信要求画面を参照させて所有者情報の送信を許可させることが可能になる。また、データ送信要求画面に基づいて送信が許可された所有者情報が携帯型電子端末から送信された場合、その所有者情報が商品販売データ処理装置で受信される。これにより、携帯型電子端末のデータファイルに格納されている所有者情報について、商品販売データ処理装置での手入力を省略することが可能になることにより、商品販売データ処理装置が設置された店舗においては作業時間の短縮、業務効率の向上、ミスの低減が図られ、携帯型電子端末の所有者である客においては利便性の向上が図られる。
【００１２】
請求項２記載の発明は、請求項１記載の商品販売データ処理装置において、前記データ通信手段により一の前記携帯型電子端末との間においてアクセスが確立している場合、他の前記携帯型電子端末からのアクセスを排除する。
【００１３】
したがって、一の携帯型電子端末との間においてアクセスが確立している場合には他の携帯型電子端末とのアクセスは確立することがないことから、携帯型電子端末と商品販売データ処理装置とは１対１の関係でのデータの送受信を行うので、誤ったデータが商品販売データ処理装置に送信されることが防止される。
【００２０】
【発明の実施の形態】
本発明の実施の一形態を図１ないし図８に基づいて説明する。本実施の形態のチケット発券システムは、商品販売データ処理装置および携帯型電子端末である携帯電話により構成されている。なお、本実施の形態においては、チケット会社からコンサート、航空券、旅行チケット等のチケット発券業務を委託されているコンビニエンスストア等の店舗で使用されるＰＯＳ（Point of Sales：販売時点管理）端末を商品販売データ処理装置に適用した一例について説明する。
【００２１】
図１は、本実施の形態のチケット発券システムを構成するＰＯＳ端末１を備えるＰＯＳシステムＡを示す模式図である。ＰＯＳシステムＡは、コンビニエンスストアのバックヤードに設置されるストアコントローラＢと、コンビニエンスストアのレジカウンターに設置される複数台のＰＯＳ端末１と、所定のＰＯＳ端末１に接続されたチケットを印刷するためのチケットプリンタＰとによって構成されている。ストアコントローラＢ、複数台のＰＯＳ端末１は、互いにＬＡＮ（Local Area Network）ケーブルＬによって接続されている。
【００２２】
公知の技術であるため詳細な説明を省略するが、ストアコントローラＢは、各ＰＯＳ端末１における売上データの管理を行う。また、ストアコントローラＢは、本部のホストコンピュータに接続されており、この本部のホストコンピュータはチケット会社等に対するデータの送受信の管理を行う。
【００２３】
ここで、図２はＰＯＳ端末１を概略的に示す外観斜視図である。図２に示すように、このＰＯＳ端末１の筐体である本体ケース２の操作者から見て左側には、サーマルプリンタ３（図３参照）を内部に内蔵するプリンタカバー４が設けられており、そのプリンタカバー４にはサーマルプリンタ３から印字発行されるレシート（図示せず）を発行するレシート発行口５が形成されている。また、プリンタカバー４の上部には、商品等に付される商品コードを光学的に読み取るためのバーコードスキャナ６を載置するためのスキャナ載置部７が凹形状に形成されている。一方、ＰＯＳ端末１の本体ケース２の操作者から見て右側には、例えば表示装置として機能するＬＣＤ（Liquid Crystal Display）であってチルト自在なディスプレイ８、各種のキーが集合するキーボード９、磁気カードリーダ１０（図３参照）に磁気カードを挿入するための磁気カード挿入口１１、図示しない鍵によって切り替え操作されるモードキー１２等が設けられている。
【００２４】
また、ディスプレイ８には、タッチパネル１３が設けられており、ディスプレイ８に表示されるボタン等とタッチパネル１３の位置座標との位置関係の同期をとることによって、ディスプレイ８はキーボードと同様の機能を奏することになる。
【００２５】
加えて、ＰＯＳ端末１の客側に位置する背面には、客側ディスプレイ１４が設けられている。そして、このようなＰＯＳ端末１は、ドロワ装置１５上に載置されて使用される。
【００２６】
続いて、このような構成のＰＯＳ端末１に内蔵される各部の電気的接続について図３を参照して説明する。図３に示すように、このＰＯＳ端末１は、Microcomputer（以下、マイコンという。）１６を内蔵し、このマイコン１６が各部を駆動制御する。マイコン１６は、各部を集中的に制御するＣＰＵ（Central Processing Unit）１７に、アドレスバス、データバス等のバスライン１８を介して、起動プログラム等の固定的データを予め格納するＲＯＭ（Read Only Memory）１９と、売上バッファや印字バッファ等の各種バッファを構成して各種データを書き換え自在に格納するＲＡＭ（Random Access Memory）２０と、日付や時刻を計時するタイマ３２とが接続されて構成されている。加えて、バスライン１８には、表示データ等を高速展開するＶＲＡＭ（Video Random Access Memory）３１も接続されている。
【００２７】
また、ＣＰＵ１７に接続されたバスライン１８には記憶媒体であるＨＤＤ（HardDisk Drive）２１が接続されており、このＨＤＤ２１にはマイコン１６を動作させる制御プログラムの他に、各種データファイルも格納されている。各種データファイルとしては、商品マスタファイル、売上ファイル等が格納されている。特に図示しないが、商品マスタファイルは、商品の商品コード毎に商品名、単価、部門コード等を対応付けて記憶保持するファイル構造を備える。売上ファイルは、売上明細や売上金額等の商品売上履歴を記憶保持するファイル構造を備える。
【００２８】
ＨＤＤ２１に格納された制御プログラムは、ＰＯＳ端末１の起動時に商品マスタファイル等とともにＲＡＭ２０に書き込まれ、これによってマイコン１６による各部の駆動制御が可能な状態となる。次に、マイコン１６によって駆動制御される各部を説明する。
【００２９】
キーボード９は、キーボードコントローラ２２を介してバスライン１８に接続され、操作されたキーに応じた信号をキーボードコントローラ２２の動作によってマイコン１６に入力する。
【００３０】
モードキー１２は、モードキーコントローラ２３を介してバスライン１８に接続され、モードキーコントローラ２３の動作によって切り替え位置に応じた信号をマイコン１６に入力する。マイコン１６は、モードキー１２からの出力信号に応じて、ＰＯＳ端末１の動作モードを登録モード、設定モード、精算モード、点検モード等の各業務モードに設定する。
【００３１】
ディスプレイ８は、表示コントローラ２４を介してバスライン１８に接続され、マイコン１６からの表示データが表示コントローラ２４に入力されると、表示コントローラ２４に駆動されて所定事項を表示する。
【００３２】
客側ディスプレイ１４は、客側表示コントローラ２５を介してバスライン１８に接続され、マイコン１６からの客側表示データが客側表示コントローラ２５に入力されると、客側表示コントローラ２５に駆動されて所定事項を表示する。
【００３３】
タッチパネル１３は、パネルコントローラ２６を介してバスライン１８に接続され、パネルコントローラ２６の動作によって、操作者によりタッチされたパネル上のＸＹ座標の位置を認識して座標データ取得し、この取得された座標データに応じた信号をマイコン１６に出力する。マイコン１６に信号が入力されると、マイコン１６は信号に基づいた所定の処理を実行する。
【００３４】
バーコードスキャナ６は、スキャナコントローラ２７を介してバスライン１８に接続され、スキャナコントローラ２７の動作によって読み取った商品コードのデータをマイコン１６に送信する。
【００３５】
磁気カードリーダ１０は、リーダコントローラ２８を介してバスライン１８に接続され、リーダコントローラ２８の動作によってマイコン１６に対して磁気カードに記憶された情報を出力する。
【００３６】
また、ＰＯＳ端末１に内蔵されたサーマルプリンタ３は、プリンタコントローラ２９を介してバスライン１８に接続され、マイコン１６によって駆動制御される。さらに、このサーマルプリンタ３には、カッタ部（図示せず）が内蔵されており、マイコン１６によって駆動制御される。これにより、サーマルプリンタ３は、図示しない長尺紙であるレシート用紙にレシートとしての必要事項を印字し、これを切断してレシート発行口５よりレシートとして発行するレシートプリンタの機能を発揮する。
【００３７】
さらに、ＰＯＳ端末１には、他のＰＯＳ端末１、ストアコントローラＢ等をＬＡＮケーブルＬを介して接続してデータの送受信をする通信Ｉ／Ｆ３０が、バスライン１８に複数接続され、マイコン１６によって駆動制御される。また、所定のＰＯＳ端末１の通信Ｉ／Ｆ３０にはチケットプリンタＰが接続されており、ＰＯＳ端末１から出力したチケット印字データをチケットプリンタＰからチケットとして印字出力することが可能になっている。
【００３８】
ＰＯＳ端末１とは別体で設けられたドロワ装置１５も、マイコン１６によって駆動制御される。
【００３９】
加えて、ＰＯＳ端末１には、無線通信手段３３が設けられており、この無線通信手段３３はバスライン１８に接続され、マイコン１６によって駆動制御される。この無線通信手段３３は、例えばBluetoothであって、マイコン１６の制御によって他のBluetooth搭載機器との間でのデータやプログラムの送受信を可能にしている。ここに、Bluetooth搭載機器間でアクセスを確立してデータ通信を行うデータ通信手段が実現されている。
【００４０】
次に、本実施の形態のチケット発券システムをＰＯＳシステムＡとともに構成する携帯電話５０について図４を参照しつつ説明する。本実施の形態の携帯電話５０は、その外観等については周知のものと何ら変わるものではないため説明を省略する。図４に示すように、携帯電話５０にはMicrocomputer（以下、マイコンという。）５１が備えられており、このマイコン５１が、電話機能を発揮する通信制御部５２、表示装置６０、各種キー６１等の各部を駆動制御する。マイコン５１は、各部を集中的に制御するＣＰＵ５３にバスライン５４を介して、マイコン５１を動作させる制御プログラム等の固定的データを予め格納するＲＯＭ５５と各種データを書き換え自在に格納するワークエリアとして機能するＲＡＭ５６とが接続されて構成されている。加えて、バスライン５４には、表示データ等を高速展開するＶＲＡＭ（Video Random Access Memory）５７や不揮発性のフラッシュメモリ５８が接続されている。フラッシュメモリ５８には、所有者を特定するための所有者情報（氏名、住所、電話番号等）を記憶する所有者情報ファイル（データファイル）５９が格納されている。
【００４１】
ＲＯＭ５５に格納された制御プログラムは、携帯電話５０の起動時にＲＡＭ５６に書き込まれ、これによってマイコン５１による各部の駆動制御が可能な状態となる。マイコン５１によって駆動制御される各部を以下において説明する。
【００４２】
各種キー６１は、キーコントローラ６２を介してバスライン５４に接続され、キーコントローラ６２の動作によって操作された各キー６１に応じた信号をマイコン５１に入力する。
【００４３】
表示装置６１は、表示コントローラ６３を介してバスライン５４に接続され、マイコン５１からの表示データが表示コントローラ６３に入力されると、表示コントローラ６３に駆動されて表示データに基づく画像を表示する。
【００４４】
また、携帯電話５０には、無線通信手段６４が設けられており、この無線通信手段６４はバスライン５４に接続され、マイコン５１によって駆動制御される。この無線通信手段６４は、例えばBluetoothであって、マイコン５１の制御によって他のBluetooth搭載機器との間でのデータやプログラムの送受信を可能にしている。ここに、Bluetooth搭載機器間でアクセスを確立してデータ通信を行うデータ通信手段が実現されている。
【００４５】
なお、本実施の形態のＰＯＳ端末１においては、一の携帯電話５０との間においてアクセスが確立している場合、他の携帯電話５０からのアクセスを排除するものとする。これは、携帯電話５０とＰＯＳ端末１とに１対１の関係でデータの送受信を行わせ、誤ったデータがＰＯＳ端末１に送信されることを防止するためである。また、本実施の形態のＰＯＳ端末１においては、携帯電話５０からのアクセスを所定の業務メニュー動作時に限るものとする。これは、携帯電話５０からＰＯＳ端末１に対する不正アクセスを防止するためである。
【００４６】
このような構成において、本実施の形態のチケット発券システムが発揮する機能のうち、このチケット発券システムが備える特長的な機能について以下に説明する。ここでは、ＰＯＳ端末１のモードキー１２の切り替え操作によって登録モードに設定されていることを条件としてＰＯＳ端末１のマイコン１６が実行するチケット発券処理について図５を参照して説明する。
【００４７】
図５に示すように、ＰＯＳ端末１のマイコン１６は、登録処理の実行中にキーボード９のチケット発券キー（図示せず）の操作入力を検知した場合には（ステップＳ１のＹ）、チケット発券処理を実行し、キーボード９やバーコードスキャナ６による商品コードの操作入力を検知した場合には（ステップＳ２のＹ）、商品の販売データの登録処理を実行するようになっている。
【００４８】
次に、チケット発券キーの操作入力を検知した場合（ステップＳ１のＹ）について説明する。なお、チケット発券キーの操作入力を検知した場合（ステップＳ１のＹ）、ＰＯＳ端末１のディスプレイ８にはチケット発券画面（図示せず）が表示される。
【００４９】
次いで、所望のチケットについてチケット会社に問い合わせて確認作業を行う（ステップＳ３）。
【００５０】
その結果、確認がとれれば、チケット会社から座席番号等の情報がオンラインでＰＯＳ端末１に伝えられ（ステップＳ４のＹ）、その情報がＰＯＳ端末１のディスプレイ８のチケット発券画面に表示されるとともにＲＡＭ２０の所定のエリアにチケット印字データとして展開される（ステップＳ５）。
【００５１】
その後、ステップＳ６に進み、チケット購入者の氏名や住所、電話番号等の個人データである顧客データの入力に待機する。顧客データの入力は、従来のようにキーボード９やタッチパネル１３による入力も可能であるが、本実施の形態のチケット発券システムでは、ＰＯＳ端末１と携帯電話５０との間における無線通信により実行可能としている。
【００５２】
図６に示すように、ＰＯＳ端末１と携帯電話５０とは、例えばBluetoothを用いた無線通信手段３３および無線通信手段６４による無線通信によってデータやプログラムの授受が可能になっている。より詳細には、ＰＯＳ端末１は、チケット購入者の所有する携帯電話５０を特定した後、当該携帯電話５０に対してプログラム（例えば、ＪＡＶＡアプレット等）を送り込み、携帯電話５０の表示装置６０に図７（ａ）に示すような顧客データ送信要求画面（データ送信要求画面）ａを表示させる。ここに、要求画面表示プログラム送信手段の機能が実行される。この顧客データ送信要求画面ａは、顧客データの送信を許可するか否かの選択をさせるためのものである。
【００５３】
このように顧客データ送信要求画面ａが表示装置６０に表示された携帯電話５０をチケット購入者が操作することにより、顧客データの送信を許可した場合には（データ送信許可手段）、図７（ｂ）に示すような顧客データ確認画面ｂが携帯電話５０の表示装置６０に表示される。顧客データ確認画面ｂには、チケット購入者の個人データである顧客データ（住所、氏名、電話番号等）が表示される。なお、顧客データ確認画面ｂに表示される顧客データは、所有者情報ファイル５９に格納されている。つまり、チケット購入者は、このように顧客データ送信要求画面ａが表示装置６０に表示された携帯電話５０を操作することにより、無線通信によってＰＯＳ端末１に対して顧客データを送信することになる。
【００５４】
そして、顧客データ（住所、氏名、電話番号等）が確認された場合には、チケット購入者の携帯電話５０のキー６１のキー操作により、顧客データ（住所、氏名、電話番号等）が携帯電話５０からＰＯＳ端末１へと送信され、送信終了後に図７（ｃ）に示すような顧客データ送信画面ｃが携帯電話５０の表示装置６０に表示される。ここに、携帯電話５０においては、データ送信手段の機能が実行される。以上の処理により、携帯電話５０をからＰＯＳ端末１に対する顧客データの送信が終了する。
【００５５】
顧客データの入力が有った場合には（ステップＳ６のＹ：データ受信手段）、その顧客データがＲＡＭ２０の所定のエリアにチケット印字データとして展開される（ステップＳ７）。
【００５６】
その後、ステップＳ８に進み、料金を算出し、ディスプレイ８及び客側ディスプレイ１４に表示する。
【００５７】
その後、ＰＯＳ端末１のマイコン１６は、上述のようにして発券処理されたデータに基づくチケット発券トランザクションデータを生成し、ＲＡＭ２０のバッファに一時的に格納する（ステップＳ９）。
【００５８】
一方、キーボード９やバーコードスキャナ６による商品コードの操作入力を検知した場合には（ステップＳ２のＹ）、入力された商品コードに基づいてＲＡＭ２０の商品マスタファイルから単価を読出し、販売点数と販売金額とを商品コード毎に累計記録し、販売金額をＲＡＭ２０の売上バッファに加算する等の登録処理を実行する（ステップＳ１０）。
【００５９】
次に、ＰＯＳ端末１のマイコン１６は、登録処理した商品の販売データでトランザクションデータを生成し、このトランザクションデータをＲＡＭ２０のバッファに格納する（ステップＳ１１）。
【００６０】
そして、ＰＯＳ端末１のマイコン１６は、所望により繰返し登録処理されるチケット発券データや商品の販売データを、キーボード９の締めキー（図示せず）が操作された場合に（ステップＳ１２のＹ）、締め処理するようになっている。
【００６１】
そこで、ステップＳ１３の締め処理では、合計金額を算出してディスプレイ８及び客側ディスプレイ１４に表示し、例えば、釣銭を算出するなどしてドロワ装置１５の引出しを開放し、サーマルプリンタ３でレシートに各種情報を印刷する。
【００６２】
また、チケットを発券する場合には、ＲＡＭ２０の所定のエリアに展開されているチケット印字データがＰＯＳ端末１からチケットプリンタＰへと出力され、そのチケット印字データに基づいたチケットが印字出力される。ここで、図８はチケットプリンタＰにより発券されたチケットＴを示す正面図である。図８に示すように、発券されたチケットＴには、タイトル、日時、座席番号等の情報Ｘとともに、顧客データ（チケット購入者の氏名）Ｙが印字されている。
【００６３】
そして、ＰＯＳ端末１のマイコン１６は、上述のようにして登録処理を完了すると、ＲＡＭ２０のバッファに格納した商品の販売データからなるトランザクションデータ及びチケット発券データからなるトランザクションデータを通信Ｉ／Ｆ３０を介してストアコントローラＢに送信する（ステップＳ１４）。
【００６４】
また、トランザクションデータを受信したストアコントローラＢは、このトランザクションデータが商品の販売データかチケット発券データかを識別コードなどで判定する。そして、このストアコントローラＢは、商品の販売データからなるトランザクションデータはＲＡＭ等に一時的に格納し、チケット発券データからなるトランザクションデータはホストコンピュータまで即時に転送するようになっている。そして、チケット発券データからなるトランザクションデータを受信したホストコンピュータは、チケット発券データからなるトランザクションデータをチケット会社のホストコンピュータまで即時に転送するようになっている。
【００６５】
ここに、ＰＯＳ端末１から携帯電話５０に対してデータ送信要求画面ａを表示させるプログラムを送信することにより、携帯電話５０に所有者情報ファイル５９に格納されている所有者情報の送信を許可させるためのデータ送信要求画面ａを表示させ、所有者にそのデータ送信要求画面ａを参照させて所有者情報の送信を許可させることができる。一方、携帯電話５０では、ＰＯＳ端末１から送信されたプログラムに従ってデータ送信要求画面ａを表示し、所有者情報ファイル５９に格納されている所有者情報の送信を所有者に許可させることができ、携帯電話５０で送信が許可された所有者情報をＰＯＳ端末１に対して送信することができる。そして、携帯電話５０から送信された所有者情報をＰＯＳ端末１で受信することができる。これにより、所有者情報ファイル５９に格納されている住所等の所有者情報をチケットの発券業務で用いる顧客情報として適用することが可能であることから、チケットの発券業務で用いる顧客情報を携帯電話５０の所有者情報ファイル５９に記憶された所有者情報から取得することで、ＰＯＳ端末１での住所等の手入力を省略することができるので、ＰＯＳ端末１が設置された店舗においては作業時間の短縮、業務効率の向上、ミスの低減を図ることができ、携帯電話５０の所有者である客においては利便性の向上を図ることができる。
【００６６】
なお、本実施の形態においては、チケット発券業務での処理を例示的に説明したが、これに限るものではない。例えば、宅配便の受付業務における依頼主名等も、携帯電話５０の所有者情報ファイル５９に記憶された所有者情報から取得することが可能である。
【００６７】
また、本実施の形態においては、携帯型電子端末として携帯電話５０を適用したが、これに限るものではなく、ノート型パーソナルコンピュータ、ＰＤＡ（Personal Digital Assistants）と称される携帯用情報端末、ＰＨＳ（Personal Handyphone System）等であっても良い。
【００６８】
【発明の効果】
請求項１記載の発明の商品販売データ処理装置によれば、携帯型電子端末にデータファイルに格納されている所有者を特定するための所有者情報の送信を許可させるためのデータ送信要求画面を表示させ、所有者にそのデータ送信要求画面を参照させて所有者情報の送信を許可させることができる。また、データ送信要求画面に基づいて送信が許可された所有者情報が携帯型電子端末から送信された場合、その所有者情報を商品販売データ処理装置で受信することにより、携帯型電子端末のデータファイルに格納されている所有者情報について、商品販売データ処理装置での手入力を省略することができるので、商品販売データ処理装置が設置された店舗においては作業時間の短縮、業務効率の向上、ミスの低減を図ることができ、携帯型電子端末の所有者である客においては利便性の向上を図ることができる。
【００６９】
請求項２記載の発明によれば、請求項１記載の商品販売データ処理装置において、前記データ通信手段により一の前記携帯型電子端末との間においてアクセスが確立している場合、他の前記携帯型電子端末からのアクセスを排除することにより、一の携帯型電子端末との間においてアクセスが確立している場合には他の携帯型電子端末とのアクセスは確立することがないことから、携帯型電子端末と商品販売データ処理装置とは１対１の関係でのデータの送受信を行うことができるので、誤ったデータが商品販売データ処理装置に送信されることを防止することができる。
【図面の簡単な説明】
【図１】本発明の実施の一形態のチケット発券システムを構成するＰＯＳ端末を備えるＰＯＳシステムを示す模式図である。
【図２】ＰＯＳ端末を概略的に示す外観斜視図である。
【図３】ＰＯＳ端末に内蔵される各部の電気的接続を示すブロック図である。
【図４】携帯電話に内蔵される各部の電気的接続を示すブロック図である。
【図５】チケット発券処理の流れを概略的に示すフローチャートである。
【図６】ＰＯＳ端末と携帯電話との間でのデータ送信を模式的に示す説明図である。
【図７】携帯電話の表示装置に表示される画面を示す正面図であって、（ａ）は顧客データ送信要求画面、（ｂ）は顧客データ確認画面、（ｃ）は顧客データ送信画面である。
【図８】チケットプリンタにより発券されたチケットを示す正面図である。
【符号の説明】
１        商品販売データ処理装置
３３      データ通信手段
５０      携帯型電子端末
５９      データファイル、所有者情報ファイル
６４      データ通信手段
ａ        データ送信要求画面
【図１】
0003925772.tif 000002
【図２】
0003925772.tif 000003
【図３】
0003925772.tif 000004
【図４】
0003925772.tif 000005
【図５】
0003925772.tif 000006
【図６】
0003925772.tif 000007
【図７】
0003925772.tif 000008
【図８】
0003925772.tif 000009